(57)【要約】【課題】器体の小型化を図ることができるタッチスイッチ装置を提供する。【解決手段】人体の一部が操作部に近接したことを検知する検知回路と、検知回路の検知結果に応じて負荷を制御する負荷制御回路と、検知回路および負荷制御回路に電力供給する電源回路とは、それぞれ個別の回路基板Ｐ１〜Ｐ３に形成されて器体内に収納される。回路基板Ｐ１〜Ｐ３は厚み方向に並設され、このうち負荷制御回路を形成した第２の回路基板Ｐ２は、電源回路を形成した第３の回路基板Ｐ３に実装されているＡＣ−ＤＣコンバータ１０の構成部品との干渉を避ける形の切欠部３６が形成されている。第２の回路基板Ｐ２と第３の回路基板Ｐ３とは、ＡＣ−ＤＣコンバータ１０の構成部品を第２の回路基板Ｐ２の切欠部３６に挿入する形で互いに組み合わされ、第２の回路基板Ｐ２はＡＣ−ＤＣコンバータ１０の構成部品の高さ寸法内に納まるように配置される。【選択図】図１
2009199896.tif 000002
【特許請求の範囲】
【請求項１】
人体の一部が操作部に近接したことを検知する検知回路と、検知回路の検知結果に応じて負荷を制御する負荷制御回路と、検知回路および負荷制御回路に電力供給する電源回路とをそれぞれ個別の回路基板に形成して１つの器体内に備え、前記３枚の回路基板は、厚み方向に並設されており、少なくとも１枚の回路基板は、他の回路基板に実装された少なくとも１つの部品との干渉を避ける形の切欠部を有し、前記部品を切欠部内に位置させることで前記部品の高さ寸法内に収まるように配置されることを特徴とするタッチスイッチ装置。
【請求項２】
前記器体は、造営面に対して埋込型配線器具を取り付けるための取付枠内に前部が挿入されるとともに、取付枠への挿入部位の両側面に取付枠と係合して取付枠に保持される取付手段を有することを特徴とする請求項１記載のタッチスイッチ装置。
【請求項３】
前記器体は前面に前記操作部を有し、器体の前面側には器体の前面を覆う操作パネルが配設され、前記回路基板のうち器体の前壁に対向して配置された回路基板には操作部の位置を示す発光素子が実装されており、器体の前壁および操作パネルにおいて発光素子に対応する部位には、発光素子の光を前方に取り出す光透過部が形成されていることを特徴とする請求項１または請求項２記載のタッチスイッチ装置。
【請求項４】
他装置に接続された信号線を接続可能な遠隔制御用端子が設けられ、前記負荷制御回路は、遠隔制御用端子を介して前記他装置から受ける遠隔制御信号に応じて前記負荷を制御する遠隔制御機能を有することを特徴とする請求項１ないし請求項３のいずれか１項に記載のタッチスイッチ装置。
【発明の詳細な説明】
【技術分野】
【０００１】
本発明は、人体の一部が操作部に近接したことを検知して負荷を制御するタッチスイッチ装置に関するものである。
【背景技術】
【０００２】
従来から、操作部に人体の一部（手指等）が触れたことを検知して、照明器具等の負荷機器をオンオフ制御するタッチスイッチ装置が種々提供されている（たとえば特許文献１参照）。この種のタッチスイッチ装置は可動部分がないから、可動子を移動させることにより接点が開閉する機械的スイッチに比べて、耐久性が高いなどの利点がある。
【０００３】
一般的なタッチスイッチ装置は、人体の一部が操作部に触れたことを検知するための検知回路と、検知回路の検知結果に応じて負荷機器を制御する負荷制御回路と、検知回路および負荷制御回路に電力供給する電源回路とを１つの器体内に有しており、器体の前面側に設けられている操作部に人体の一部が触れることで、負荷制御回路に接続されている負荷機器への電源供給がオンオフするように構成される。
【特許文献１】特許第３６８１４１７号公報
【発明の開示】
【発明が解決しようとする課題】
【０００４】
ところで、上述のタッチスイッチ装置は、検知回路と負荷制御回路と電源回路とを１つの器体内に有しており、器体に収納される回路基板上の部品の実装面積が比較的大きくなるため、回路基板の厚み方向に直交する面内での器体の寸法を小さく抑えることは困難である。また、回路基板を複数枚に分割して厚み方向に重ねることも考えられるが、この場合には、回路基板の厚み方向において各回路基板にそれぞれ実装されている部品の高さ寸法が加算されるから、回路基板の厚み方向における器体の寸法を小さく抑えることが困難となる。
【０００５】
タッチスイッチ装置の器体の小型化が可能になれば、タッチスイッチ装置を機械的スイッチに代えて様々なところで使用できるようになるので、タッチスイッチ装置の器体の小型化は強く要望されている。
【０００６】
本発明は上記事由に鑑みてなされたものであって、器体の小型化を図ることができるタッチスイッチ装置を提供することを目的とする。
【課題を解決するための手段】
【０００７】
請求項１の発明は、人体の一部が操作部に近接したことを検知する検知回路と、検知回路の検知結果に応じて負荷を制御する負荷制御回路と、検知回路および負荷制御回路に電力供給する電源回路とをそれぞれ個別の回路基板に形成して１つの器体内に備え、前記３枚の回路基板が、厚み方向に並設されており、少なくとも１枚の回路基板が、他の回路基板に実装された少なくとも１つの部品との干渉を避ける形の切欠部を有し、前記部品を切欠部内に位置させることで前記部品の高さ寸法内に収まるように配置されることを特徴とする。
【０００８】
この構成によれば、検知回路と負荷制御回路と電源回路とをそれぞれ個別の回路基板に形成し、これら３枚の回路基板を厚み方向に並設したことにより、１枚の回路基板に検知回路と負荷制御回路と電源回路とを形成する場合に比べて、回路基板の厚み方向に直交する面内での器体の寸法を小さく抑えることができる。また、少なくとも１枚の回路基板は、他の回路基板に実装された少なくとも１つの部品との干渉を避ける形の切欠部を有し、前記部品を切欠部内に位置させることで前記部品の高さ寸法内に収まるように配置されるから、切欠部のない構成に比べて、回路基板の厚み方向における器体の寸法を小さく抑えることができる。したがって、器体の小型化を図ることができるという利点がある。
【０００９】
請求項２の発明は、請求項１の発明において、前記器体が、造営面に対して埋込型配線器具を取り付けるための取付枠内に前部が挿入されるとともに、取付枠への挿入部位の両側面に取付枠と係合して取付枠に保持される取付手段を有することを特徴とする。
【００１０】
この構成によれば、器体は埋込型配線器具用の取付枠を用いて造営面に取付可能であるから、器体の取付作業が容易であって、また、造営面に取り付けられた状態での器体の見映えがよいという利点がある。
【００１１】
請求項３の発明は、請求項１または請求項２の発明において、前記器体が前面に前記操作部を有し、器体の前面側には器体の前面を覆う操作パネルが配設され、前記回路基板のうち器体の前壁に対向して配置された回路基板には操作部の位置を示す発光素子が実装されており、器体の前壁および操作パネルにおいて発光素子に対応する部位には、発光素子の光を前方に取り出す光透過部が形成されていることを特徴とする。
【００１２】
この構成によれば、光透過部から前方に取り出される発光素子の光により、使用者においては操作部の位置を理解しやすくなるという利点がある。また、負荷の制御状態に応じて発光素子の光色を変化させるようにすれば、発光素子の光を用いて負荷の制御状態を認識させることも可能である。
【００１３】
請求項４の発明は、請求項１ないし請求項３のいずれかの発明において、他装置に接続された信号線を接続可能な遠隔制御用端子が設けられ、前記負荷制御回路が、遠隔制御用端子を介して前記他装置から受ける遠隔制御信号に応じて前記負荷を制御する遠隔制御機能を有することを特徴とする。
【００１４】
この構成によれば、負荷制御回路は、人体の一部が操作部に近接したことを検知する検知回路の検知結果のみならず、他装置から受ける遠隔制御信号に応じても負荷を制御することができるので、前記他装置をタッチスイッチ装置から離れた場所に配置することにより、タッチスイッチ装置から離れた場所において負荷の制御を指示することが可能となる。
【発明の効果】
【００１５】
本発明は、回路基板の厚み方向に直交する面内での器体の寸法を小さく抑えることができ、また、回路基板の厚み方向における器体の寸法も小さく抑えることができるので、器体の小型化を図ることができるという利点がある。
【発明を実施するための最良の形態】
【００１６】
（実施形態１）
本実施形態のタッチスイッチ装置１は、図２に示すように交流電源（商用電源）ＡＣと第１および第２の負荷機器Ｌ１，Ｌ２とに接続されており、人体Ｈの一部（手指等）が操作部２ａ，２ｂに近接したことを検知して各負荷機器Ｌ１，Ｌ２への電力供給を個別にオンオフ制御する。ここで、各負荷機器Ｌ１，Ｌ２は交流電源ＡＣからの電力供給を受けて動作するたとえば照明器具等の電気機器である。
【００１７】
このタッチスイッチ装置１は、人体Ｈの一部が操作部２ａ，２ｂに近接したことを検知する検知回路３ａ，３ｂと、検知回路３ａ，３ｂの検知結果に応じて負荷機器Ｌ１，Ｌ２を制御する負荷制御回路４ａ，４ｂと、検知回路３ａ，３ｂおよび負荷制御回路４ａ，４ｂに電力供給する電源回路５とを回路ブロック６として１つの器体７内に備えている。操作部２ａ，２ｂは器体７の前面に形成されており、器体７内における操作部２ａ，２ｂの背後には検知回路３ａ，３ｂに接続された検出電極８ａ，８ｂが配設される。
【００１８】
ここにおいて、検知回路３ａ，３ｂは、検出電極８ａ，８ｂの電気的状態の変化を検出することで人体Ｈの一部が操作部２ａ，２ｂに近接したことを検知する。本実施形態では、操作部は第１および第２の２つの操作部２ａ，２ｂに分割されており、第１の操作部２ａに対応して配置された第１の検出電極８ａが第１の検知回路３ａに接続され、第２の操作部２ｂに対応して配置された第２の検出電極８ｂが第２の検知回路３ｂに接続されている。
【００１９】
第１および第２の各検知回路３ａ，３ｂには第１および第２の各負荷制御回路４ａ，４ｂがそれぞれ接続されている。各負荷制御回路４ａ，４ｂは、交流電源ＡＣと第１および第２の各負荷機器Ｌ１，Ｌ２との間の電力供給路に接点ｒｙ１，ｒｙ２（図３参照）が挿入接続されたリレー９（図１参照）をそれぞれ具備しており、各検知回路３ａ，３ｂから出力される検知信号に基づいてリレー９の接点ｒｙ１，ｒｙ２を開閉することにより各負荷機器Ｌ１，Ｌ２への電力供給を個別にオンオフする。ここでは、第１の負荷制御回路４ａは、人体Ｈの一部が第１の操作部２ａに近接したときに第１の検知回路３ａから出力される検知信号を受けてリレー９の接点ｒｙ１を開閉し、第２の負荷制御回路４ｂは、第２の操作部２ｂに近接したときに第２の検知回路３ｂから出力される検知信号を受けてリレー９の接点ｒｙ２を開閉するものとする。
【００２０】
さらに、図３に示すように、第１の負荷制御回路４ａにおけるリレー９の接点ｒｙ１は、第１の負荷機器Ｌ１と交流電源ＡＣとの間に挿入接続され、第２の負荷制御回路４ｂにおけるリレー９の接点ｒｙ２は、第１の負荷機器Ｌ１と交流電源ＡＣとの間に挿入接続される。しかして、第１の負荷機器Ｌ１は第１の操作部２ａに人体Ｈの一部が近接する度にオンオフ状態が切り替わり、第２の負荷機器Ｌ２は第２の操作部２ｂに人体Ｈの一部が近接する度にオンオフ状態が切り替わる。
【００２１】
なお、本実施形態のタッチスイッチ装置１には、他装置に接続された信号線を接続するための遠隔制御用端子３４が設けられており、各負荷制御回路４ａ，４ｂは、遠隔制御用端子３４を介して前記他装置から受ける遠隔制御信号に応じて各負荷機器Ｌ１，Ｌ２を制御する遠隔制御機能をそれぞれ有している。図２の例では、タッチスイッチ装置１から離れた場所に設置されたホームサーバＨＳを前記他装置としており、ホームサーバＨＳ−負荷制御回路４ａ，４ｂ間での通信機能を付与することにより、ホームサーバＨＳからの遠隔制御信号に応じて負荷機器Ｌ１，Ｌ２を制御できるようにしてある。ホームサーバＨＳにはコントロールパネルＣＰが接続されており、コントロールパネルＣＰの操作に従ってホームサーバＨＳで遠隔制御信号が生成される。この構成によれば、負荷制御回路４ａ，４ｂは、人体Ｈの一部が操作部２ａ，２ｂに近接したことを検知する検知回路３ａ，３ｂの検知結果のみならず、タッチスイッチ装置１から離れた場所でのコントロールパネルＣＰの操作も負荷機器Ｌ１，Ｌ２の制御に反映させることができるので、負荷機器Ｌ１，Ｌ２の遠隔制御（オンオフ制御）が可能となる。ここに、コントロールパネルＣＰはホームサーバＨＳの一部であってもよい。
【００２２】
電源回路５は、交流電源ＡＣからの電力供給を受けて検知回路３ａ，３ｂおよび負荷制御回路４ａ，４ｂに対して直流電源を供給するものであって、少なくとも交流電力を所望の電圧の直流電力に変換するＡＣ−ＤＣコンバータ１０（図１参照）を有している。なお、本実施形態では負荷機器Ｌ１，Ｌ２への電力供給は交流電源ＡＣにより行っているが、この例に限らず、電源回路５から負荷機器Ｌ１，Ｌ２への電力供給を行う構成としてもよい。
【００２３】
上記構成の回路ブロック６を収納する器体７は図４に示すように直方体状に形成されており、埋込型配線器具用の取付枠１１を用いて壁等の造営面（図示せず）に取り付けられる。この取付枠１１には後述の化粧プレート１２が着脱自在に係着される。なお、以下では、タッチスイッチ装置１は図４（ａ）の向きで造営面に取り付けられるものとし、図４（ａ）の上下左右を上下左右として説明するが、造営面に対するタッチスイッチ装置１の取付方向はこの例に限るものではない。
【００２４】
器体７は図５に示すように前面開口の箱状のボディ１３と、ボディ１３の前面側に結合されるカバー１４とで構成されており、カバー１４の前面には図６に示すように矩形板状の操作パネル１５が覆着される。ボディ１３の上下両端面にはそれぞれ各一対の組立突起１６が突設されており、カバー１４の後端縁から後方に延設された組立片１７の孔を組立突起１６に係合させることによりボディ１３とカバー１４とが結合される。ボディ１３は左右方向においてカバー１４よりも幅広に形成されており、ボディ１３とカバー１４とを結合した状態でボディ１３の開口周部は左右方向に突出して後述の肩部として機能する。ここで、器体７は前面の上部を第１の操作部２ａとし前面の下部を第２の操作部２ｂとしており、操作パネル１５を覆着した状態では両操作部２ａ，２ｂは操作パネル１５によって覆われる。
【００２５】
取付枠１１は、図６に示すように互いに対向する一対の縦枠１８と、一対の縦枠１８の各端部同士を連結する一対の横枠１９とで矩形枠状に形成されており、造営面に開設された埋込孔（図示せず）の開口周部を覆う形で造営面に取付可能であって、縦枠１８および横枠１９で囲まれた部位に器体７が装着される長方形状の取付窓２０を有する。ここで、取付窓２０の長手方向である上下方向に対向する一対の横枠１９においては、埋込スイッチボックス等を用いて造営面に取付枠１１を固定するための孔２１が貫設されている。
【００２６】
また、各縦枠１８のうち取付窓２０に臨む部位には、縦枠１８の長手方向に並んだ各一対の取付孔２２が上下方向に複数組ずつ列設されている。ここに、タッチスイッチ装置１の器体７における左右両側面には取付孔２２に対応する位置に取付爪（取付手段）２３が突設されており、この取付爪２３が取付孔２２に嵌るように器体７の前端部を取付枠１１の後方から取付窓２０内に挿入することで、図７に示すように器体７が取付枠１１に装着される。このとき、器体７の肩部（ボディ１３の開口周部）が縦枠１８の背面に当接することにより、前方への器体７の移動が規制される。なお、器体７の右側の側壁においては、切込２４を設けることで取付爪２３が突設された部位に可撓性が付与されており、この部位を撓ませることで取付爪２３と取付孔２２との係合を解除すれば器体７を取付枠１１から取り外すことができる。
【００２７】
化粧プレート１２は、図５に示すように矩形枠状に形成されており、中央部に長方形状に開口した露出窓２５を通して、器体７に取着された操作パネル１５を露出させる。化粧プレート１２の背面の四隅にはそれぞれ後方に係止片（図示せず）が突設されており、各係止片を取付枠１１の四隅に形成された係止孔２６にそれぞれ挿入して係合させることで、化粧プレート１２が取付枠１１に装着される。
【００２８】
上述したように、本実施形態のタッチスイッチ装置１は、コンセント等の一般的な埋込型配線器具用の取付枠１１を用いて造営面に取付可能であるから、設置作業が簡単であって、また、造営面に取り付けられた状態の見映えがよいという利点がある。しかも、取付枠１１および化粧プレート１２として専用品ではなく汎用品を用いることで、取付枠１１および化粧プレート１２を除いたタッチスイッチ装置１の本体のみを提供することができる。そのため、タッチスイッチ装置１の提供に当たり、取付枠１１および化粧プレート１２を同梱する場合に比べて梱包状態での小型化を図ることができる。
【００２９】
なお、本実施形態では、タッチスイッチ装置１の器体７は１連用の取付枠１１を１個取付可能な埋込スイッチボックスに対応する大きさに形成されている。ここでいう１連用の取付枠１１とは、埋込型配線器具用に規格化されている単位寸法の配線器具を幅方向（上下方向）に３個並べて取付可能な取付枠１１を意味している。
【００３０】
ところで、本実施形態では、回路ブロック６は図１に示すように検知回路３ａ，３ｂが形成された第１の回路基板Ｐ１と、負荷制御回路４ａ，４ｂが形成された第２の回路基板Ｐ２と、電源回路５が形成された第３の回路基板Ｐ３との３枚の回路基板Ｐ１〜Ｐ３を有している。第１〜第３の回路基板Ｐ１〜Ｐ３は厚み方向を前後方向に一致させるように、前後方向に並設される形で器体７内に収納される。ここでは、前方から第１の回路基板Ｐ１、第３の回路基板Ｐ３、第２の回路基板Ｐ２の順で、前後方向に互いに重なるように配置される。なお、第１〜第３の各回路基板Ｐ１〜Ｐ３は、いずれも器体７に収まるように上下寸法および左右寸法が同程度に設定されている。
【００３１】
第１の回路基板Ｐ１は略長方形状であって、第１の回路基板Ｐ１の前面側には第１および第２の各検出電極８ａ，８ｂを具備する一対の検出素子２７および操作音を発生するブザー２８が実装されている。各検出素子２７はそれぞれ円筒状に形成されたベース部材２９を有し、ベース部材２９の前端部の開口内に円環状の検出電極８ａ，８ｂを具備している。ベース部材２９は回路基板Ｐ１に近づくほど内径を小さくするすり鉢状に形成されている。検出素子２７は器体７の前面における第１および第２の各操作部２ａ，２ｂに対応するように上下方向に離間して配置されており、両検出素子２７の間にブザー２８が配置されている。ここで、器体７の前壁において各検出素子２７に対応する位置には、図５に示すように円環状の表示部３０が形成されており、器体７の前面における各表示部３０の近傍がそれぞれ操作部２ａ，２ｂを構成する。
【００３２】
第３の回路基板Ｐ３の背面側には、ＡＣ−ＤＣコンバータ１０が実装され、第３の回路基板Ｐ３の前面側には、第３のコネクタ３１が実装されている。ここで、第１の回路基板Ｐ１の背面側に実装されている第１のコネクタ３２（図９（ｂ）参照）と第３のコネクタ３１とを接続することにより、第１の回路基板Ｐ１と第３の回路基板Ｐ３とが電気的に接続される。ＡＣ−ＤＣコンバータ１０は図示しない整流器、コンデンサ、パワートランジスタ、放熱板等の部品を含み、これらの部品は、回路基板Ｐ３からの高さ寸法が回路基板Ｐ１〜Ｐ３に設けられている他の部品に比べて高い。
【００３３】
また、第２の回路基板Ｐ２の背面側には、各負荷機器Ｌ１，Ｌ２への通電をそれぞれ制御する一対のリレー９と、交流電源ＡＣおよび負荷機器Ｌ１，Ｌ２を接続する端子板３３と、モジュラジャックからなる遠隔制御用端子３４とが実装されている。第２の回路基板Ｐ２の前面側には第２のコネクタ３５が実装されており、このコネクタ３５によって第２の回路基板Ｐ２と第３の回路基板Ｐ３とが電気的に接続される。なお、各端子板３３は、図示しない鎖錠ばねと共に、器体７の背面側から挿入された電線の芯線が接続される所謂速結端子を構成する。
【００３４】
ここにおいて、第２の回路基板Ｐ２は、図１に示すように左下部であって第３の回路基板Ｐ３におけるＡＣ−ＤＣコンバータ１０の構成部品を実装してある領域に対応する位置に切欠部３６が形成されることにより、全体として略Ｌ字状に形成されている。そして、第２の回路基板Ｐ２と第３の回路基板Ｐ３とは、図８および図９に示すように第３の回路基板Ｐ３に実装されているＡＣ−ＤＣコンバータ１０の構成部品を第２の回路基板Ｐ２の切欠部３６に挿入する形で互いに組み合わされる。このとき、第２の回路基板Ｐ２はＡＣ−ＤＣコンバータ１０の構成部品の高さ寸法内に納まるように配置されながらも、第２の回路基板Ｐ２に設けた切欠部３６によって第２の回路基板Ｐ２とＡＣ−ＤＣコンバータ１０の構成部品との干渉を避けることができる。また、本実施形態では、図９（ｂ）に示すように第２の回路基板Ｐ２の背面側に実装されているリレー９と端子板３３と遠隔制御用端子３４とのいずれもが、ＡＣ−ＤＣコンバータ１０の構成部品の高さ寸法内に収まっている。
【００３５】
以上説明した構成のタッチスイッチ装置１によれば、回路ブロック（検知回路３ａ，３ｂ、負荷制御回路４ａ，４ｂ、電源回路５）６を第１〜第３の回路基板Ｐ１〜Ｐ３に分割して形成し、これら３枚の回路基板Ｐ１〜Ｐ３を厚み方向に並設しているから、回路ブロック６を１枚の回路基板に形成する場合に比べると、回路基板Ｐ１〜Ｐ３の厚み方向に直交する面内（つまり造営面に沿う面内）での器体７の寸法を小さく抑えることができる。しかも、第２の回路基板Ｐ２には第３の回路基板Ｐ３に実装されている部品（ＡＣ−ＤＣコンバータ１０の構成部品）との干渉を避けるための切欠部３６が形成されており、第２の回路基板Ｐ２と第３の回路基板Ｐ３とが前記部品を切欠部３６内に位置させるように組み合わされることにより、第２の回路基板Ｐ２は前記部品の高さ寸法内に収められている。したがって、切欠部３６のない場合に比較して、回路基板Ｐ１〜Ｐ３の厚み方向（つまり前後方向）での器体７の寸法を小さく抑えることができる。
【００３６】
ところで本実施形態では、図９（ａ）に示すように第１の回路基板Ｐ１の前面側であってベース部材２９に囲まれた部位に、操作部２ａ，２ｂの位置を示す発光素子としてのＬＥＤ（発光ダイオード）３７が配設されている。ここで、器体７の前壁において各表示部３０に囲まれた部位の中央部には、それぞれ光透過性を有する材料から形成されＬＥＤ３７からの光を前方に取り出す光透過部３８が形成されている。さらに、器体７の前面を覆う操作パネル１５においては、全体が光透過性を有する材料から形成され光透過部を成しており、したがって、ＬＥＤ３７からの光は器体７の光透過部３８および操作パネル１５を通して前方に取り出されることとなる。なお、操作パネル１５は、全体が光透過性を有することは必須ではなく、少なくともＬＥＤ３７に対応する部位がＬＥＤ３７からの光を前方に取り出す光透過部として機能するものであればよい。
【００３７】
この構成によれば、使用者においては、ＬＥＤ３７からの光によって操作パネル１５の前面側からでも操作部２ａ，２ｂの位置を理解しやすくなり、操作時に操作パネル１５のどの部分に触れればよいかを容易に認識することができる。また、第１の操作部２ａと第２の操作部２ｂとで発光色の異なるＬＥＤ３７を用いることで、両操作部２ａ，２ｂを区別しやすくしたり、各負荷機器Ｌ１，Ｌ２の制御状態（オン・オフ）に応じて対応するＬＥＤ３７の点灯状態（発光色等）を変化させる構成とすることで、各負荷機器Ｌ１，Ｌ２の制御状態を視覚的に認識できるようにしたりすることも可能である。さらにまた、器体７あるいは操作パネル１５の光透過部３８を任意の図柄や文字の形状としておけば、操作パネル１５の表面を任意の図柄や文字の形状に発光させることもできる。
【００３８】
また、本実施形態では、第１の回路基板Ｐ１と第２の回路基板Ｐ２との間に第３の回路基板Ｐ３を介在させてあるため、第３の回路基板Ｐ３に形成された接地パターン（図示せず）をシールドとして利用することが可能である。すなわち、第１の回路基板Ｐ１に形成されている検知回路３ａ，３ｂは検出電極８ａ，８ｂの電気的状態の微小な変化を検出するものであるから、第２の回路基板Ｐ２に実装されているリレー９の動作時に発生するノイズが検知回路３ａ，３ｂに影響すると誤検知を生じるおそれがあるが、上記構成によれば、前記ノイズを第３の回路基板Ｐ３の接地パターンで遮断することにより検知回路３ａ，３ｂへのノイズの影響を低減することができる。
【００３９】
ところで、上記実施形態においては、回路基板Ｐ２にＡＣ−ＤＣコンバータ１０の構成部品との干渉を避ける形の切欠部３６を形成する例を示したが、この例に限るものではなく、切欠部３６は、切欠部３６を形成した回路基板Ｐ２以外の回路基板Ｐ１，Ｐ３に実装された少なくとも１つの部品との干渉を避ける形に形成されていればよく、たとえば回路基板Ｐ２に貫設された孔であってもよい。また、切欠部３６は、第２の回路基板Ｐ２に限らず、少なくとも１枚の回路基板Ｐ１〜Ｐ３に形成されるものであればよい。
【００４０】
なお、上記実施形態では、２台の負荷機器Ｌ１，Ｌ２のオンオフ制御が可能な２回路２接点型のタッチスイッチ装置１を例示したが、これ以外にも、たとえば図１０に示すように１台の負荷機器Ｌ１のオンオフ制御に用いられる１回路１接点型のタッチスイッチ装置１など、多様なタッチスイッチ装置１に本発明を適用することができる。図１０の例では、操作部２は１つのみであって、これに対応する検出電極８、検知回路３および負荷制御回路４もそれぞれ１つずつ設けられる。
【図面の簡単な説明】
【００４１】
【図１】本発明の実施形態１の回路ブロックの構成を示す分解斜視図である。
【図２】同上の全体構成を示す概略ブロック図である。
【図３】同上の接続状態を示す概略図である。
【図４】同上のタッチスイッチ装置を示し、（ａ）は正面図、（ｂ）は側面図、（ｃ）は斜視図である。
【図５】同上のタッチスイッチ装置を示す分解斜視図である。
【図６】同上の化粧プレートを外した状態のタッチスイッチ装置を示す斜視図である。
【図７】同上の化粧プレートを外した状態のタッチスイッチ装置を示し、（ａ）は正面図、（ｂ）は側面図、（ｃ）は斜視図である。
【図８】同上の回路ブロックの構成を示し、（ａ）は前面側から見た斜視図、（ｂ）は背面側から見た斜視図である。
【図９】同上の回路ブロックの構成を示し、（ａ）は正面図、（ｂ）は側面図である。
【図１０】同上の他の構成例を示す概略ブロック図である。
【符号の説明】
【００４２】
１  タッチスイッチ装置
２，２ａ，２ｂ  操作部
３，３ａ，３ｂ  検知回路
４，４ａ，４ｂ  負荷制御回路
５  電源回路
７  器体
１０  ＡＣ−ＤＣコンバータ
１１  取付枠
１５  操作パネル
３６  切欠部
３７  ＬＥＤ（発光素子）
３８  光透過部
Ｈ  人体
Ｌ１，Ｌ２  負荷機器
Ｐ１  第１の回路基板
Ｐ２  第２の回路基板
Ｐ３  第３の回路基板
【図１】
2009199896.tif 000003
【図２】
2009199896.tif 000004
【図３】
2009199896.tif 000005
【図４】
2009199896.tif 000006
【図５】
2009199896.tif 000007
【図６】
2009199896.tif 000008
【図７】
2009199896.tif 000009
【図８】
2009199896.tif 000010
【図９】
2009199896.tif 000011
【図１０】
2009199896.tif 000012